(57)【要約】【課題】  二枚ずつの電気回路基板を緊密的に結合することによって、発光ダイオード表示パネルの表示品質を確保し、且つその密着用のそれぞれの部材によってさらに放熱の作用を向上する。【解決手段】  二枚ずつ隣り合う複数枚の電気回路基板１０と、それらの電気回路基板１０にそれぞれ固定保持される複数対のＬ字形固定フレーム２１と、それらの対のＬ字形固定フレーム同士２１を係止固定する少なくとも一つのＵ字形係止部材２２とを備えており、それらによって二枚ずつの隣り合う電気回路基板同士１０を強引に密着させる。【選択図】      図２
2005195802.tif 000002
【特許請求の範囲】
【請求項１】
発光ダイオード表示パネルに応用される電気回路基板強引密着装置において、
二枚ずつ隣り合い、それぞれ発光ダイオード・アレイが配置される情報表示面と、それらの情報表示面に対応する固定保持面とを有する、複数枚の電気回路基板（１０）と、
前記電気回路基板の前記固定保持面に連接される一対の水平部とそれぞれ前記水平部の一端部に一体成形される立ち上がり部を有し、その中、前記の対の立ち上がり部が相互に対応すると共に、密着される、複数対のＬ字形固定フレーム（２１）と、
それらの対のＬ字形固定フレーム同士を係止固定する少なくとも一つのＵ字形係止部材（２２）とを備えていることを特徴とする電気回路基板強引密着装置。
【請求項２】
前記の対のＬ字形固定フレームは高熱伝導係数の材料からなるものであり、前記電気回路基板に放熱の機能を提供することを特徴とする請求項１に記載の電気回路基板強引密着装置。
【請求項３】
前記水平部が板状に形成されることによって水平部と前記電気回路基板の接触面積を増加することにより、その電気回路基板の放熱効果を強化することを特徴とする請求項２に記載の電気回路基板強引密着装置。
【請求項４】
前記立ち上がり部は楔形を呈する断面を有し、且つそれらの立ち上がり部同士の厚さが前記水平部の底端部に接する部分より上向いてますます増加し、前記Ｕ字形係止部材がその内側に前記楔型の立ち上がり部にマッチングするための当接斜面を有し、相互にマッチして固定保持できることを特徴とする請求項１に記載の電気回路基板強引密着装置。
【請求項５】
前記Ｕ字形係止部材の左右両側にそれぞれ内方へ固定保持塊を延出形成しており、且つ前記の対の立ち上がり部がそれぞれ前記固定保持塊に対応する収納槽を有し、それらによって相互に係止固定することを特徴とする請求項１に記載の電気回路基板強引密着装置。
【請求項６】
前記Ｕ字形係止部材が一側の表面に一個以上のサイド・ネジ穴を形成しており、調整ネジをねじ込むことによって、前記Ｌ字形固定フレームの前記立ち上がり部に対する強引密着作用を強化することを特徴とする請求項１に記載の電気回路基板強引密着装置。
【請求項７】
前記Ｕ字形係止部材がその上表面部に少なくとも一つ以上のネジ穴を形成しており、調整ネジをねじ込むことに合せることによって前記Ｌ字形固定フレームの前記水平部に対する平たさを調整可能にすることを特徴とする請求項１に記載の電気回路基板強引密着装置。
【請求項８】
前記の対の立ち上がり部同士にはそれぞれ凹状または凸状構造を有し、それらによって相互に嵌合固定することを特徴とする請求項１に記載の電気回路基板強引密着装置。
【発明の詳細な説明】
【技術分野】
【０００１】
本発明は、電気回路基板強引密着装置に係わり、特に発光ダイオード表示パネルに応用される電気回路基板強引密着装置に関するものである。
【背景技術】
【０００２】
大型の発光ダイオード表示パネルは、複数枚の発光ダイオード・アレイ・ユニット同士からなるものであり、前記の発光ダイオードがそれぞれ複数枚の電気回路基板に実装され、且つアレイ・アレンジに配列され、それらによって情報を表示し、大きいスクリーンのサイズのニーズに応じるため、複数枚の前記の電気回路基板同士を二枚ずつ連接し、且つ精確にそれらの電気回路基板同士間の緊密的密着をコントロールする必要があり、それによって、情報が電気回路基板間のギャップの影響によりその均一さと品質の劣化を防止できる。
【０００３】
図１Ａに示すのは、従来技術の電気回路基板を強引に密着するための装置を示す説明図であり、それが正裏両面を有する複数枚の電気回路基板１０１ａ，１０２ａ，１０３ａに応用され、それらの電気回路基板１０１ａ，１０２ａ，１０３ａがそれぞれ正面に発光ダイオード・アレイ（図示省略）が取り付けられ、それらによって情報を表示し、また、その裏面の四つのコーナーにそれぞれ四つのネジ・ベースが配置されている。ここでは、前記四つのネジ・ベース同士を両ネジ・ベース１１１ａと両ネジ・ベース１１２ａとに区分し、両ネジ・ベース１１１ａ（１１２ａ）が対向するコーナーに配置され、即ち、二つの隣り合う前記電気回路基板同士がその中の一つのネジ・ベース１１１ａとその中の一つのネジ・ベース１１２ａによって合せてロックして強引密着の効果を達成する。例を挙げて言う場合、二つの隣り合う電気回路基板同士（例えば１０１ａと１０２ａ）が、二つの螺孔同士を有する固定片１４ａと二つのネジ同士１３ａとを合せて、電気回路基板１０１ａのネジ・ベース１１１ａと電気回路基板１０２ａのネジ・ベース１１２ａにロック固定することによって強引に密着される。
【０００４】
しかしながら、固定片１４ａの前記二つのネジ穴が作製時にそれらの間のギャップの精密さを注意する必要があり、且つそれらのネジ・ベース１１１ａ，１１２ａの電気回路基板１０１ａ，１０２ａに配置される場合の正確さを注意する必要がある。前記の製品が作製時にすべて許容公差が設定され、組立後に容易に誤差を生じ、また、前記の強引密着装置は所定の距離の位置決め接合に属し、そのロック固定の方向は上下直交することであり、水平方向の詰め込みの強引密着機能を提供できず、図１Ｂに示すように、電気回路基板１０１ａ，１０２ａが組立公差が生成するため、微細の挟み角度θが生成され、または図１Ｃに示すように、不当な水平せん断方向の力Ｆが施される場合、容易に電気回路基板１０１ａ，１０２ａに相対的変位ｘを生成させる。
【発明の開示】
【発明が解決しようとする課題】
【０００５】
そのため、本発明は、二枚の隣り合う電気回路基板を緊密的に結合するための電気回路基板強引密着装置を提供することをその主要な解決しようとする課題とする。
【課題を解決するための手段】
【０００６】
前記の目的を図るために、本発明は、発光ダイオード表示パネルに応用され、二つずつ隣り合う複数枚の電気回路基板同士と、それらの電気回路基板をそれぞれ固定する複数対のＬ字形固定フレームと、少なくとも一つの前記の対のＬ字形固定フレームを係止するＵ字形係止部材と、を備えており、それらによって二つずつ隣り合う前記電気回路基板同士を強引に密着させるようにした、電気回路基板強引密着装置を提供する。
【０００７】
本発明の技術特徴とその技術内容を詳しく解明するために、以下に添付図面を参照しながら本発明の好適な実施の形態を詳細的で具体的に説明するが、それらの説明による具体的な構造は単に本発明の実施可能な実施例に過ぎず、本発明を狭義的に定義するものではないことは言うまでもない。
【発明を実施するための最良の形態】
【０００８】
本発明は、Ｕ字形係止部材によって既に電気回路基板に連接されるＬ字形固定フレームを挟持し、電気回路基板に水平挟み方向の強引密着効果を提供し、発光ダイオード表示パネルに良好的な均一さと表示品質を提供するものである。
【０００９】
図２に示すのは、本発明の電気回路基板強引密着装置の第一の実施の形態を示す説明図であり、それらによって均一的に表示可能な発光ダイオード表示パネルを作製する効果を図る。それには、二枚ずつ隣り合う複数枚の電気回路基板１０と、それらの電気回路基板１０にそれぞれ固定保持される複数対のＬ字形固定フレーム２１と、それらの対のＬ字形固定フレーム同士２１を係止固定する少なくとも一つのＵ字形係止部材２２とを備えており、それらによって二枚ずつの隣り合う電気回路基板同士１０を強引に密着させる。その中、電気回路基板１０は発光ダイオード・アレイが配置される情報表示面（図示省略）と、それらの情報表示面に対応する固定保持面１０１とを有し、Ｌ字形固定フレーム２１がそれぞれ電気回路基板１０の固定保持面１０１の水平部２１１と、その水平部２１１の一端部に一体成形される立ち上がり部２１２とを連接し、水平部２１１がネジ２３を介して、またはグリュー粘着などの従来の方式によって電気回路基板１０に固定保持され、対のＬ字形固定フレーム２１の立ち上がり部２１２が相互に対応すると共に、相互に密着し、Ｕ字形係止部材２２が対のＬ字形固定フレーム２１の対の立ち上がり部２１２に係止保持され、水平方向の中線に向かう力を提供することによって二枚の電気回路基板同士１０を係止密着する。
【００１０】
立ち上がり部２１２は楔形を呈する断面を有し、且つそれらの立ち上がり部同士２１２の厚さが水平部２１１の底端部に接する部分より上向いてますます増加するものであり、Ｕ字形係止部材２２がその内側に楔型の立ち上がり部２１２にマッチングするための当接斜面を有し、相互にマッチして固定保持できる。
【００１１】
図３に示すのは、本発明の電気回路基板強引密着装置の第二の実施の形態を示す説明図であり、それは、Ｕ字形係止部材２２の左右両側にそれぞれ内方へ固定保持塊２２１を延出形成するものであり、その対の立ち上がり部２１２がそれぞれ固定保持塊２２１に対応する収納槽２１２１を有し、それらによって相互に係止固定する作用を発揮する。
【００１２】
図４Ａと図４Ｂに示すのは、それぞれ本発明の電気回路基板強引密着装置の第三と第四の実施の形態を示す説明図であり、それぞれには、対の立ち上がり部２１２に凹状構造２１５または凸状構造２１６、または両者共に備える状態を示し、相互に嵌合係止固着する作用を発揮するものである。立ち上がり部２１２の間の嵌合係止作用によって、二枚ずつの隣り合うマザー・ボード１０がせん断応力の影響を受けず、変位を生成することもなく、発光ダイオード表示パネルの表示品質を確保できる。
【００１３】
図５に示すのは、本発明の第五の実施の形態を示す説明図であり、Ｕ字形係止部材２２が一側の表面に一個以上のサイド・ネジ穴２１３を形成しているものであり、調整ネジ２４をねじ込むことによって、Ｌ字形固定フレーム２１の立ち上がり部２１２に対する強引密着作用を強化し、もし、両サイドの強引密着結合のニーズがある場合、Ｕ字形係止部材２２が左右両側の表面にそれぞれ少なくとも一つのサイド・ネジ穴２１３を形成できる。
【００１４】
図６に示すのは、本発明の第六の実施の形態を示す説明図であり、Ｕ字形係止部材２２の底面部がでこぼこに形成される場合、Ｕ字形係止部材２２がその上表面部に少なくとも一つ以上のネジ穴２１４を形成してもよく、調整ネジ２５のねじ込みに合せることによってＬ字形固定フレーム２１の水平部２１１に対する平たさを調整できる。
【００１５】
また、本発明は、さらに電気回路基板１０に放熱する機能を提供し、対のＬ字形固定フレーム２１は高熱伝導係数の材料からなるものであり、電気回路基板１０に放熱の作用を提供でき、その中、水平部２１１が板状に形成されるため、水平部２１１と電気回路基板１０の接触面積を増加でき、その電気回路基板１０に放熱効果を強化させることができる。
【産業上の利用可能性】
【００１６】
本発明の電気回路基板強引密着装置による場合、二枚ずつの電気回路基板を緊密的に結合できるので、発光ダイオード表示パネルの表示品質を確保できると共に、その密着用のそれぞれの部材がさらに放熱の作用を提供できるので、新規な産業上の利用性を備えている。
【００１７】
前記に説明したように、本発明は、確かに予期した目的と効果を達成でき、しかしながら、前記に掲げた技術手段は単に本発明の実施可能な実施例に過ぎず、いずれの本発明の要旨と技術特徴に基づいて実施されるすべての修飾と変化とはすべて本発明の権利主張範囲内に納入されるべきことは言うまでもない。
【図面の簡単な説明】
【００１８】
【図１Ａ】従来の電気回路基板強引密着装置を示す説明図である。
【図１Ｂ】従来の電気回路基板強引密着装置の不当な組立状態を示す説明図である。
【図１Ｃ】従来の電気回路基板強引密着装置の力を受ける状況を示す説明図である。
【図２】本発明の電気回路基板強引密着装置の第一の実施の形態を示す説明図である。
【図３】本発明の電気回路基板強引密着装置の第二の実施の形態を示す説明図である。
【図４Ａ】本発明の電気回路基板強引密着装置の第三の実施の形態を示す説明図である。
【図４Ｂ】本発明の電気回路基板強引密着装置の第四の実施の形態を示す説明図である。
【図５】本発明の電気回路基板強引密着装置の第五の実施の形態を示す説明図である。
【図６】本発明の電気回路基板強引密着装置の第六の実施の形態を示す説明図である。
【符号の説明】
【００１９】
１０      電気回路基板
２１      Ｌ字形固定フレーム
２２      Ｕ字形係止部材
２３      ネジ
２４、２５  調整ネジ
１０１    固定保持面
２１１    水平部
２１２    立ち上がり部
２１３    サイド・ネジ穴
２１４    上ネジ穴
２１５    凹状構造
２１６    凸状構造
２２１    固定保持塊
２１２１  収納槽
【図１Ａ】
2005195802.tif 000003
【図１Ｂ】
2005195802.tif 000004
【図１Ｃ】
2005195802.tif 000005
【図２】
2005195802.tif 000006
【図３】
2005195802.tif 000007
【図４Ａ】
2005195802.tif 000008
【図４Ｂ】
2005195802.tif 000009
【図５】
2005195802.tif 000010
【図６】
2005195802.tif 000011